(57)【要約】【課題】  施工が簡単であると共に、工期を短くすることができ、。かつ、施工不良の発生がない折板の連結構造の提供。【解決手段】  両側に設けた山１ａ同士を重畳して短手方向へ連結される折板１の連結溝であって、折板における両側の谷１ｂの外部に連結部材２が長手方向へ連続又は断続して固着され、隣り合う折板の連結部材同士が締結具３を介して締結されている。【選択図】  図１
2006016803.tif 000002
【特許請求の範囲】
【請求項１】
両側に設けた山同士を重畳して短手方向へ連結される折板の連結構造であって、折板における両側の谷の外部に連結部材が長手方向へ連続又は断続して固着され、隣り合う折板の連結部材同士が締結具を介して締結されていることを特徴とする折板の連結構造。
【請求項２】
前記長手方向へ断続して固着される連結部材が、短手方向へ延びると共に、折板の全ての谷に跨がっていることを特徴とする請求項１記載の折板の連結構造。
【請求項３】
端部の山同士、谷同士を重畳して長手方向へ連結される折板の連結構造であって、下側折板における端部の谷の下部に連結部材が短手方向へ連続又は断続して固着されている一方、上側折板におけ端部近傍の谷の下部に連結部材が下側折板の連結部材と対向させて短手方向へ連続又は断続して固着され、両折板の連結部材同士が締結具を介して締結されていることを特徴とする折板の連結構造。
【発明の詳細な説明】
【技術分野】
【０００１】
本発明は、角波状に折り曲げたキーストンプレート、デッキプレート、スラブプレート、屋根折版等の金属またはプラスチックからなる折板同士の連結構造に関する。
【背景技術】
【０００２】
従来、折板同士の短手方向の連結構造としては、両側に設けた山同士を重畳すると共に、重畳した山同士をボルト、ナット等の締結具を介して締結したり（特許文献１参照）、あるいは両側に設けた山同士を重畳し、かつ、数箇所を溶接すると共に、その上、下に配置した短手方向のリブを溶接する（非特許文献１参照）ことが知られている。
【０００３】
一方、折板同士の長手方向の連結構造としては、突き合わせた端部の上、下に相似形状の連結部材を配置すると共に、上、下の連結部材同士を折板を貫通するボルト、ナット等の締結具を介して締結したり（特許文献１参照）、あるいは突き合わせた端部同士を溶接する（非特許文献１参照）ことが知られている。
【０００４】
しかし、折板同士の連結をボルト、ナット等の締結具を介して行う構造の場合、折板に多数の透孔を孔明けしなければならないと共に、締結を２方向からしなければならず、施工が面倒であり、又、締結具の緩みによって雨漏り等の不具合がある。
【０００５】
一方、折板同士の連結を溶接を介して行う場合は、現場溶接を必要とする一方、天候に左右されたり、板厚が薄い場合には溶接が困難となるため、工期が長くなると共に、折板同士間の隙間等によって施工不良が発生する不具合がある。
【特許文献１】特公平８−０１９６４５号公報
【非特許文献１】建築技術２００１、０５  Ｐ．１８２〜１８９
【発明の開示】
【発明が解決しようとする課題】
【０００６】
本発明は、施工が簡単であると共に、工期を短くすることができ、かつ、施工不良の発生がない折板の連結構造の提供を課題とする。
【課題を解決するための手段】
【０００７】
本発明の第１の折板の連結構造は、両側に設けた山同士を重畳して短手方向へ連結される折板の連結構造であって、折板における両側の谷の外部に連結部材が長手方向へ連続又は断続して固着され、隣り合う折板の連結部材同士が締結具を介して締結されていることを特徴とする。
【０００８】
第２の折板の連結構造は、第１のものにおいて、前記長手方向へ断続して固着される連結部材が、短手方向へ延びると共に、折板の全ての谷に跨がっていることを特徴とする。
【０００９】
又、第３の折板の連結構造は、端部の山同士、谷同士を重畳して長手方向へ連結される折板の連結構造であって、下側折板における端部の谷の下部に連結部材が短手方向へ連続又は断続して固着されている一方、上側折板におけ端部近傍の谷の下部に連結部材が下側折板の連結部材と対向させて短手方向へ連続又は断続して固着され、両折板の連結部材同士が締結具を介して締結されていることを特徴とする。
【発明の効果】
【００１０】
本発明の第１の折板の連結構造によれば、折板の短手方向の連結に際し、締結具による一方向からの作業となると共に、現場溶接作業が不要となるので、施工を容易に、しかも短期間で行うことができる。
又、折板に締結具のための透孔を設ける必要がないと共に、板厚の薄いことによる溶接不良も生じないので、施工不良が発生することがない。
【００１１】
第２の折板の連結構造によれば、第１のものによる作用効果の他、連結部材が折板の短手方向の補強部材として機能するので、折板の短手方向の剛性を高めることができる。
【００１２】
第３の折板の連結構造によれば、折板の長手方向の連結に際し、第１のものと同様に、締結具による一方向からの作業となると共に、現場溶接作業が不要となるので、施工を容易に、しかも短期間で行うことができる。
又、折板に締結具のための透孔を設ける必要がないと共に、板厚の薄いことによる溶接不良も生じないので、施工不良が発生することがない。
なお、連結部材が短手方向へ連続して固着されている場合は、連結部材が折板の短手方向の補強部材として機能するので、折板の短手方向の剛性を部分的に高めることができる。
【発明を実施するための最良の形態】
【００１３】
両側に設けた山同士を重畳する際には、水密性や気密性を高めるため、山同士間に耐候性の高いパッキンを介装することが好ましい。
又、山と山が相互に噛み合って容易に外れない形状（例えば、大同建材工業（株）製  大同ＰデッキＢＬ−３３３、ＢＬ−５００）が好ましい。
【００１４】
折板を短手方向へ連結するための連結部材は、折板における両側の谷の外面に、一方のフランジを重畳した山の幅半分と対応する位置で外方へ突出させて他方のフランジを介して固着されたＬ形断面のアングルが好ましく、この連結部材は、一方のフランジ同士が締結具を介して締結されるものである。
【００１５】
又、上記連結部材は、折板における両側の谷の側面に、重畳した山の幅半分と対応する位置まで外面を谷の外面と面一にして側方へ延ばして固着した平板と、隣り合う折板における両平板の外面に跨がって当接した連結板とからなるものであってもよく、この連結部材は、連結板と両平板とが締結具を介して締結されるものである。
【００１６】
更に、前記連結部材は、折板における両側の谷の側面に、重畳した山の幅半分と対応する位置まで外面を谷の外面と面一にして側方へ延ばして固着した平板と、平板の外面に垂設した垂設板と、隣り合う折板における両垂設板の板面に跨がって当接した連結板とからなるものであってもよく、この連結部材は、連結板と両垂設板とが締結具を介して締結されるものである。
【００１７】
更に又、前記連結部材は、折板における両側の谷の外面に、重畳した山の幅半分と対応する位置まで内面を谷の外面と面一にして側方へ延ばして固着した平板と、隣り合う折板における両平板の外面に跨がって当接した連結板とからなるものであってもよく、この連結部材は、連結板と両平板とが締結具を介して締結されるものである。
【００１８】
又、前記連結部材は、折板における両側の谷の外面に、重畳した山の幅半分と対応する位置まで内面を谷の外面と面一にして側方へ延ばして固着した平板と、平板の外面に垂設した垂設板と、隣り合う折板における両垂設板の板面に当接した連結板とからなるものであってもよく、この連結部材は、連結板と両垂設板とが締結具を介して締結されるものである。
【００１９】
一方、折板を長手方向へ連結するための連結部材は、下側折板における端部の下面に、一方のフランジを下方へ突出させて他方のフランジを介して固着されたＬ形断面のアングルと、上側折板における端部近傍の下面に、一方のフランジを下方へ突出させて他方のフランジを介して固着されたＬ形断面のアングルとからなるものが好ましく、この連結部材は、下側、上側折板におけるアングルの一方のフランジ同士が締結具を介して締結されるものである。
【実施例１】
【００２０】
図１は、本発明に係る折板の連結構造の実施例１を示す要部の端面図である。  
【００２１】
この折板の連結構造は、両側に設けた山１ａ同士を重畳して折板１（例えば、鋼板製、縦１０，０００ｍｍ、横１，０００ｍｍ、高さ１００ｍｍ、厚さ１．２ｍｍ、山幅９５ｍｍ、谷幅９５ｍｍ、山間距離２５０ｍｍ、谷間距離２５０ｍｍ）を短手方向（図１においては左右方向）へ連結するものであり、重畳した山１ａ同士間には、図示は省略するが、水密性や気密性を高めるため、耐候性の高いパッキンが介装されている。
折板１における両側の谷１ｂの外面（図１においては下面）には、折板１の長手方向（図１においては紙面と垂直な方向）へ連続して配置され、一方のフランジ２ａを重畳した山１ａの幅半分程度の位置で外方（図１においては下方）へ突出させた連結部材としてのアングル２が、他方のフランジ２ａを介して溶接等により固着されている。
そして、隣り合う折板１におけるアングル２の一方のフランジ２ａ同士が、ボルト、ナット等の締結具３を介して締結されている。
【００２２】
なお、折板１へのアングル２の固着は、現場施工でもよいが、工場で予め施工しておくことが好ましい。
又、アングル２の配置は、折板１の長手方向へ連続して行う場合に限らず、折板１の長手方向へ断続して行ってもよい。
【実施例２】
【００２３】
図２は、本発明に係る折板の連結構造の実施例２を示す要部の端面図である。
【００２４】
この折板の連結構造は、実施例１と同様に折板１を短手方向へ連結するものであり、折板１における両側の谷１ｂの外側面（図２においては、左、右の外側面）には、折板１の長手方向へ連続して配置され、重畳した山１ａの幅半分程度の位置まで、外面（図２においては下面）を谷１ｂの外面と面一にして外側方（図２においては左、右側方）へ延ばした帯板状の平板４が、溶接等により固着されている。
そして、隣り合う折板１における両平板４の外面には、これらの平板４と相俟って連結部材を構成する連結板５が、両平板４に跨がって当接されており、この連結板５と両平板４とが、ボルト、ナット等の締結具６を介して締結されている。
【００２５】
なお、折板１への平板４の固着は、現場施工でもよいが、工場で予め施工しておくことが好ましい。
又、平板４の配置は、折板１の長手方向へ連続して行う場合に限らず、折板１の長手方向へ断続して行ってもよい。
更に、連結板５の配置は、折板１の長手方向へ連続しても断続してもよい。
【実施例３】
【００２６】
図３は、本発明に係る折板の連結構造の実施例３を示す要部の端面図である。
【００２７】
この折板の連結構造は、実施例２と同様に折板１を短手方向へ連結するものであり、実施例２のものが、連結部材を締結する締結具６の延伸方向が折板１の延在方向と垂直であるのに対し、作業性の向上を図るために締結具の延伸方向を折板１の延在方向と平行になるようにしたものである。
【００２８】
すなわち、折板１における両側の谷１ｂの外側面には、実施例２のものと同様に、折板１の長手方向へ連続して配置され、重畳した山１ａの幅半分程度の位置まで、外面を谷１ｂの外面と面一にして外側方へ延ばした帯板状の平板４が、溶接等により固着されており、この平板４の外面には、谷１ｂの外面にまで及んで折板１の短手方向へ延在する垂設板７が、折板１の長手方向へ適宜に離隔して溶接等により固着して垂設されている。
そして、隣り合う折板１における両垂設板７の板面には、上述した平板４及び垂設７と相俟って連結部材を構成する連結板８が、両垂設板７に跨がって当接されており、この連結板８と両垂設板７とが、ボルト、ナット等の締結具９を介して締結されている。
【実施例４】
【００２９】
図４は、本発明に係る折板の連結構造の実施例４を示す要部の端面図である。
【００３０】
この折板の連結構造は、実施例１と同様に折板１を短手方向へ連結するものであり、折板１における両側の谷１ｂの外面には、折板１の長手方向へ連続して配置され、重畳した山１ａの幅半分程度の位置まで、内面（図４においては上面）を谷１ｂの外面と面一にして外側方（図４においては左、右側方）へ延ばした帯板状にして、かつ、内側端部に谷１ｂの外面と垂直に外方へ延ばした補強板部１０ａを設けた平板１０が、溶接等により固着されている。
そして、隣り合う折板１における両平板１０の外面（図４においては下面）には、これらの平板１０と相俟って連結部材を構成する連結板１１が、両平板１０に跨がって当接されており、この連結板１１と両平板１０とが、ボルト、ナット等の締結具１２を介して締結されている。
【００３１】
なお、折板１への平板１０の固着は、現場施工でもよいが、工場で予め施工しておくことが好ましく、又、補強板部１０は、無くてもよい。
又、平板１０の配置は、折板１の長手方向へ連続して行う場合に限らず、折板１の長手方向へ断続して行ってもよい。この場合、平板１０は、折板１の短手方向の剛性を高めるため、短手方向へ延び、かつ、折板１の全ての谷１ｂに跨がっていることが好ましい。
更に、連結板１１の配置は、折板１の長手方向へ連続しても断続してもよい。
【実施例５】
【００３２】
図５は、本発明に係る折板の連結構造の実施例５を示す要部の端面図である。
【００３３】
この折板の連結構造は、実施例４と同様に折板１を短手方向へ連結するものであり、実施例４のものが、連結部材を締結する締結具１２の延伸方向が折板１の延在方向と垂直であるのに対し、作業性の向上を図るために締結具の延伸方向を実施例３のものと同様に折板１の延在方向と平行になるようにしたものである。
すなわち、折板１における両側の谷１ｂの外面には、実施例４のものと同様に、折板１の長手方向へ連続して配置され、重畳した山１ａの幅半分程度の位置まで、内面を谷１ｂの外面と面一にして外側方へ延ばした帯板状にして、かつ、内側端部に谷１ｂの外面と垂直に外方へ延ばした補強板部１０ａを設けた平板１０が、溶接等により固着されており、この平板１０の外面には、補強板部１０ｂにまで及んで折板１の短手方向へ延在する垂設板１３が、折板１の長手方向に適宜に離隔して溶接等により固着して垂設されている。
そして、隣り合う折板１における両垂設板１３の板面には、上述した平板１０及び垂設板１３と相俟って連結部材を構板する連結板１４が、両垂設板１３に跨がって当接されており、この連結板１４と両垂設板１３とが、ボルト、ナット等の締結具１５を介して締結されている。
【実施例６】
【００３４】
図６は、本発明に係る折板の連結構造の実施例６を示す要部の側面図である。
【００３５】
この折板の連結構造は、実施例１と同様の折板１における端部の山１ａ同士、谷１ｂ同士を重畳して折板１を長手方向へ連結するものであり、重畳した山１ａ、谷１ｂ同士間には、図示省略するが、水溶性や気密性を高めるため、耐候性の高いパッキンが介装されている。
【００３６】
下側折板１' における端部の谷１ｂの下面には、下側折板１' の短手方向（図６においては紙面と垂直な方向）へ連続して配置され、一方のフランジ１６ａを下方へ突出させた連結部材としてのアングル１６が、他方のフランジ１６ｂを介して溶接等により固着されている一方、上側折板１" における端部近傍の谷１ｂの下面には、上側折板１" の短手方向（図６においては紙面と垂直な方向）へ連続して配置され、一方のフランジ１７ａを下方へ突出させると共に、下側１' のアングル１６の一方のフランジ１６ａと対向させた連結部材としてのアングル１７が、他方のフランジ１７ｂを介して溶接等により固着されている。
そして、下側、上側折板１' ，１" におけるアングル１６，１７の一方のフランジ１６ａ，１７ａ同士が、ボルト、ナット等の締結具１８を介して締結されている。
【００３７】
なお、下側、上側折板１' ，１" へのアングル１６，１７の固着は、現場施工でもよいが、工場で予め施工しておくことが好ましい。
又、アングル１６，１７の配置は、下側、上側折板１' ，１" の短手方向へ連続して行う場合に限らず、下側、上側折板１' ，１" の短手方向へ断続して行ってもよい。
【図面の簡単な説明】
【００３８】
【図１】本発明に係る折板の連続構造の実施例１を示す要部の端面図である。
【図２】本発明に係る折板の連続構造の実施例２を示す要部の端面図である。
【図３】本発明に係る折板の連続構造の実施例３を示す要部の端面図である。
【図４】本発明に係る折板の連続構造の実施例４を示す要部の端面図である。
【図５】本発明に係る折板の連続構造の実施例５を示す要部の端面図である。
【図６】本発明に係る折板の連続構造の実施例６を示す要部の側面図である。
【符号の説明】
【００３９】
１      折板
１'     下側折板
１"     上側折板
１ａ    山
１ｂ    谷
２      アングル（連結部材）
２ａ    フランジ
２ｂ    フランジ
３      締結具
４      平板（連結部材）
５      連結板（連結部材）
６      締結具
７      垂設板（連結部材）
８      連結板（連結部材）
９      締結具
１０    平板（連結部材）
１１    連結板（連結部材）
１２    締結具
１３    垂設板（連結部材）
１４    連結板（連結部材）
１５    締結具
１６    アングル（連結部材）
１６ａ  フランジ
１６ｂ  フランジ
１７    アングル（連結部材）
１７ａ  フランジ
１７ｂ  フランジ
１８    締結具
【図１】
2006016803.tif 000003
【図２】
2006016803.tif 000004
【図３】
2006016803.tif 000005
【図４】
2006016803.tif 000006
【図５】
2006016803.tif 000007
【図６】
2006016803.tif 000008